(57)【要約】【課題】  コンクリート製フロアパネルにおいて、フロアパネルの強度を向上させて中央部での撓み量を低減させ、さらに薄型化を可能とすることにある。【解決手段】  内側補強バー材２０をフロアパネル１０の４辺と対向する辺の略中央部を渡す様に配置するとともに、その配置された複数の内側補強バー材２０を保持具３０によってフロアパネル面１１と略平行に所定の間隔を設けて保持することを特徴とする。【選択図】  図１
2008240282.tif 000002
【特許請求の範囲】
【請求項１】
コンクリート内に補強バー材と補強用メッシュを埋設した長方形状のコンクリート製フロアパネルにおいて、該補強バー材は、前記フロアパネルの４辺に配置される外側補強バー材と対向する辺の略中央部に渡される複数の内側補強バー材とからなり、該複数の内側補強バー材をフロアパネル面と略平行に配置することを特徴とするフロアパネル。
【請求項２】
前記複数の内側補強バー材は、保持具によりフロアパネル面と略平行に所定の間隔を設けて保持されることを特徴とする請求項１記載のフロアパネル。
【請求項３】
前記保持具は、各々対向する辺の略中央部に渡される複数の内側補強バー材の両端部に配置されることを特徴とする請求項２記載のフロアパネル。
【請求項４】
前記保持具は、各々対向する辺の略中央部に渡される複数の内側補強バー材が交差する交差部に配置されることを特徴とする請求項２記載のフロアパネル。
【請求項５】
コンクリート内に補強バー材と補強用メッシュを埋設した長方形状のコンクリート製フロアパネルの製造方法において、成形型枠内でフロアパネルの４辺の位置に外側補強バー材及び対向する辺の略中央部を渡す位置に複数の内側補強バー材を配設するとともに、該複数の内側補強バー材をフロアパネル面と略平行に配置し、次いで前記補強用メッシュを成形型枠内に配設した後、コンクリート材を成形型枠内に充填することを特徴とするフロアパネルの製造方法。
【請求項６】
前記フロアパネルの対向する辺の略中央部を渡す位置に配設された複数の内側補強バー材を、保持具によりフロアパネル面と略平行に所定の間隔で保持することを特徴とする請求項５記載のフロアパネルの製造方法。
【発明の詳細な説明】
【技術分野】
【０００１】
本発明は、フロアパネル及びその製造方法に関するものである。
【背景技術】
【０００２】
事務所及びオフィスなどに使用されるフロアは、図５に示すように建物の床下地８０に立設した支持脚８５上に床材となるフロアパネル９０を敷設し、床下地８０とフロアパネル９０との間に空間９５を形成し、前記床下空間９５を電源及び電子機器用の配線空間として利用する二重床施工が行われている。このフロアパネル９０はその４隅を支持脚８５により支持され、フロアパネル９０上には事務机、書棚及び電子機器などが配置される。
【０００３】
特許文献１に示されるフロアパネルは、コンピュータ室等の高床として充分な強度を備えるため４辺の周囲と対向する辺に渡された鉄筋と、エキスパンドメタルにより補強された構造となっている（図６を参照）。
特許文献２に示されるフロアパネルは、強度および製造性を高めると共に薄型化や軽量化を図ることを目的として、鉄筋等のバー材と金属製のメッシュ材とを一体化させパネル内に埋め込んだコンクリート製のフロアパネルが記載されている（図７を参照）。
【０００４】
【特許文献１】特開昭６０−１６８８６２号公報
【特許文献２】特開２００４−３０８２８４号公報
【発明の開示】
【発明が解決しようとする課題】
【０００５】
しかしながら、特許文献１に示されたフロアパネルの構造では、対向する辺に渡された鉄筋は夫々１本ずつであり、高荷重がフロアパネル中央部に印加された場合には撓み量が大きくなり、フロアパネルを厚くしなければ対応することができなかった。また、フロアパネルを厚くした場合には、電源及び電子機器用の配線空間として利用される床下空間が狭くなり、配線作業などがやり難くなる問題がある。
また、特許文献２に示されたフロアパネルの構造では、４辺の周囲と対向する辺に渡された鉄筋等のバー材と金属製のメッシュ材とを溶接等により一体化させフロアパネル内に埋め込んだ構造としており、製造上の負荷及び製造コストがかかる問題がある。
【課題を解決するための手段】
【０００６】
上記課題を解決するために本発明に係る第１の発明では、長方形状のコンクリート製フロアパネル内の４辺に外側補強バー材と、対向する辺の略中央部に渡される複数の内側補強バー材と、補強用メッシュを埋設すると共に、複数の内側補強バー材をフロアパネル面と略平行に配置した構造のコンクリートフロアパネルを提供する。
第２の発明では、対向する辺の略中央部に渡される複数の内側補強バー材を、保持具によりフロアパネル面と略平行に所定の間隔を設けて保持される構造としたコンクリートフロアパネルを提供する。
第３の発明では、各々対向する辺の略中央部に渡される複数の内側補強バー材の両端部に保持具を配置したコンクリートフロアパネルを提供する。
第４の発明では、各々対向する辺の略中央部に渡される複数の内側補強バー材が交差する交差部に保持具を配置したコンクリートフロアパネルを提供する。
第５の発明では、長方形状のコンクリート製フロアパネルの成形型枠内で、フロアパネルの４辺の位置に外側補強バー材及び対向する辺の略中央部を渡す位置に複数の内側補強バー材を配設するとともに、複数の内側補強バー材をフロアパネル面と略平行に配置し、次いで補強用メッシュを成形型枠内に配設した後、コンクリート材を成形型枠内に充填するコンクリートフロアパネルの製造方法を提供する。
第６の発明では、長方形状のコンクリート製フロアパネルの対向する辺の略中央部を渡す位置に配設された複数の内側補強バー材を、保持具によりフロアパネル面と略平行に所定の間隔で保持するコンクリートフロアパネルの製造方法を提供する。
【発明の効果】
【０００７】
本発明によれば、以下のような効果を有する。
（１）複数の補強バーそれぞれにコンクリートが行き渡りコンクリートとの付着性を高めフロアパネルの強度を向上させて中央部での撓み量を低減させさらに薄型化を可能としている。
（２）コンクリート材を流し込んだときに型枠内に配置された複数の補強バー材が片側にずれ強度のばらつきを生じることもなくなる。
（３）保持具が夫々の複数の補強バー材を両端部で保持する構造としているため、製造上容易に作業ができる。
（４）保持具が夫々の複数の補強バー材が交差するフロアパネルの略中央部で保持する構造とした場合、１箇所での保持が可能となり作業も容易であり、製造コストを低減させることができる。
（５）フロアパネルの対向する辺の略中央部に渡される補強バー材を複数本とし、さらにこの複数本の補強バー材をフロアパネル面と略平行に所定の間隔で保持させることにより、複数の補強バーそれぞれにコンクリートが行き渡り、コンクリートとの付着性を高め、フロアパネル中央部での撓み量を小さくして強度を向上させることができる。
（６）また、複数本の補強バー材がフロアパネル面と略平行に保持されているため、フロアパネルを厚くすることなく強度を向上させることができる。
【発明を実施するための最良の形態】
【０００８】
本発明の実施形態を図面に基づいて説明する。
図１は、本発明に係るフロアパネルの内部構造を示す説明図である。
長方形状のコンクリート製フロアパネル１０は、そのコンクリート内部に補強バー材１９，２０と補強用メッシュ４０を埋設している。
そして、補強バー材は、外側補強バー材１９と内側補強バー材２０とからなっている。
外側補強バー材１９は、フロアパネル１０の４辺に配置されるものであり、内側補強バー材２０は、対向する辺の略中央部に渡されて縦横十字に交差するように配置されるものである。
なお、補強メッシュ４０は、これら配筋された補強バー材１９，２０とフロアパネル面１１との間に配置されている。
【０００９】
上記内側補強バー材２０は、フロアパネル１０の対向する辺の略中央部を渡してそれぞれ４本ずつ配置され、その両端部２１に設けられた保持具３０によってフロアパネル面１１と略平行に所定の間隔を設けて保持される。
図２は、内側補強バー材２０を保持している保持具３０の縦断面図である。保持具３０は、基体３１上に内側補強バー材２０を所定の間隔で握持するように保持する保持部３２を連接して設けることで、４本の内側補強バー材２０を所定の間隔でフロアパネル面１１と略平行に保持している。このように、フロアパネル１０の中央部を縦断又は横断する４本の内側補強バー材２０をフロアパネル面１１と略平行に所定の間隔で保持させることにより、４本の内側補強バー材２０それぞれにコンクリートが行き渡り、内側補強バー材２０とコンクリートとの付着性を高めると共に、フロアパネル中央部での撓み量を小さくして強度を向上させることができる。また、４本の内側補強バー材２０がフロアパネル面１１と略平行に保持されているため、フロアパネル１０を厚くすることなく強度を向上させることができる。
【００１０】
以下に示す表１は、本発明に係るフロアパネルの性能を示す表である。
フロアパネルをφ８０鋼製支持台で４点支持し、φ５０荷重子を用いてオートグラフ（荷重試験機）にて荷重し、最大荷重（破壊荷重）及び荷重時のたわみ量を測定した。
これによれば、本発明に係るフロアパネルは、パネル中央及びパネル辺中央ともに、最大荷重が規格値よりも遙かに優れている。また、たわみ量は、５０００Ｎ負荷時において、３０００Ｎ負荷時の規格値を満たしている。これにより、従来の規格を軽くクリアする程の強度を有することが証明された。従って、フロアパネルの厚みを薄くして、強度を保ちながら軽量化を図ることも可能となる。
【表１】
2008240282.tif 000003
【００１１】
図３及び図４は、上記保持具のその他の実施形態である。
図３に示す保持具３５Ａ及び図４に示す保持具３５Ｂは、いずれもフロアパネル１０の中央部で十字状に交差する内側補強バー材２０をその交差部２２で保持するものであって、本体３６Ａ，３６Ｂの上部に４本の内側補強バー材２０を並列保持させる保持部３７Ａ，３７Ｂを、これと直交する角度で同下部に保持部３８Ａ，３８Ｂを備えるものである。この保持具３５Ａ，３５Ｂを用いれば、縦横の内側補強バー材２０を１箇所で保持することが可能となり、作業も容易であり、製造コストを低減させることができる。
【００１２】
次に、上記フロアパネル１０の製造方法を説明する。
（１）成形型枠内でフロアパネルの４辺の位置に外側補強バー材を配置する。
（２）対向する辺の略中央部を渡す位置にフロアパネル面と略平行に所定の間隔を設けて保持具によって保持された４本の内側補強バー材を配設する。
（３）補強用メッシュを配設する。
（４）コンクリート材を前記成形型枠内に充填する。
【産業上の利用可能性】
【００１３】
本発明は、二重床構造のフロアパネルに幅広く利用できるものである。
【図面の簡単な説明】
【００１４】
【図１】本発明に係るフロアパネルの内部構造を示す説明図。
【図２】保持具の縦断面図。
【図３】保持具のその他の実施形態を示す説明図。
【図４】保持具のその他の実施形態を示す説明図。
【図５】二重床構造を示す斜視図。
【図６】特許文献１に係る発明を示す図。
【図７】特許文献２に係る発明を示す図。
【符号の説明】
【００１５】
１０  コンクリート製フロアパネル
１１  フロアパネル面
１９  外側補強バー材
２０  内側補強バー材
２１  両端部
２２  交差部
３０  保持具
３１  基体
３２  保持部
３５Ａ，３５Ｂ  保持具
３６Ａ，３６Ｂ  本体
３７Ａ，３７Ｂ  保持部
３８Ａ，３８Ｂ  保持部
４０  補強用メッシュ
８０  床下地
８５  支持脚
９０  フロアパネル
９５  床下空間
【図１】
2008240282.tif 000004
【図２】
2008240282.tif 000005
【図３】
2008240282.tif 000006
【図４】
2008240282.tif 000007
【図５】
2008240282.tif 000008
【図６】
2008240282.tif 000009
【図７】
2008240282.tif 000010